(57)【要約】【課題】  避難者に対して明瞭な誘導音声を届けることのできる誘導灯装置を得る。【解決手段】  誘導灯表示部１では、非常口や避難経路を表示する。非常時には、誘導灯ユニット４より誘導音声が超指向性スピーカ用音声処理部５に出力される。音響放射部３は超指向性スピーカで構成されており、超指向性スピーカ用音声処理部５と超指向性スピーカでパラメトリックスピーカとして動作する。音響放射部３から放射される誘導音声は、特定の方向にのみであるため、壁面からの反射音の影響を最小限に抑えることができ、従って、避難者に対しても明瞭な誘導音声を届けることができる。【選択図】        図１
2005202775.tif 000002
【特許請求の範囲】
【請求項１】
非常口または避難経路の存在を示すための誘導灯表示部と、非常時に誘導音声を出力するための音響放射部とを備えた誘導灯装置において、
前記音響放射部を、特定の方向にのみ音響放射を行う超指向性スピーカで構成したことを特徴とする誘導灯装置。
【請求項２】
それぞれ、音響放射方向が異なる複数の超指向性スピーカを備えたことを特徴とする請求項１記載の誘導灯装置。
【発明の詳細な説明】
【技術分野】
【０００１】
この発明は、施設内で火災や地震等により停電した場合、避難者を施設内から非常口へ誘導するための誘導灯装置に関するものである。
【背景技術】
【０００２】
一般に、会社、学校、ホール、体育館、競技場、ホテル、スーパーマーケット、病院といった多くの人が入る施設には、火災や地震といった不測の事態が発生した場合、施設内に居合わせた人が速やかにかつ安全に避難できるよう、非常口や避難経路を光や音で案内する誘導音付誘導灯装置が設置されている（例えば、特許文献１参照）。
【０００３】
【特許文献１】特開平１０−２４１０６７号公報
【発明の開示】
【発明が解決しようとする課題】
【０００４】
しかしながら、従来の誘導灯装置では、誘導音等の音響放射は一般的な指向特性のスピーカによって行われるため、誘導灯装置が設置されている部屋の壁面や窓面で音の反射や共鳴が発生し、その結果、誘導音声が不明瞭になってしまうといった問題点があった。
【０００５】
この発明は上記のような課題を解決するためになされたもので、施設内において避難者に対して明瞭な誘導音声を届けることのできる誘導灯装置を得ることを目的とする。
【課題を解決するための手段】
【０００６】
この発明に係る誘導灯装置は、非常時に誘導音声を出力するための音響放射部を、特定の方向にのみ音響放射を行う超指向性スピーカで構成したものである。
【発明の効果】
【０００７】
この発明の誘導灯装置は、音響放射部を超指向性スピーカで構成したので、建物内での誘導音声の反射や共鳴を最小限に抑えることができ、その結果、明瞭な誘導音声とすることができる。
【発明を実施するための最良の形態】
【０００８】
以下、この発明の実施の一形態を説明する。
実施の形態１．
図１は、この発明の実施の形態１による誘導灯装置のブロック構成図である。
また、図２は、誘導灯装置の設置例を示す説明図である。
誘導灯装置１００は、図２に示すように、例えば非常口２００の上側に設置されるものであり、誘導灯表示部１、点滅装置２、音響放射部（超指向性スピーカ）３、誘導灯ユニット４、超指向性スピーカ用音声処理部５からなる。
【０００９】
誘導灯表示部１は、図２に示したように、非常口の存在や方向を示す絵文字が内部の図示しない照明装置によって表示されるよう構成された表示部であり、誘導灯ユニット４によって常時点灯されるよう構成されている。点滅装置２は、誘導灯表示部１の下部に設けられ、火災発生等の非常時に点滅動作する表示部であり、通常状態では消灯状態となっている。音響放射部３は超指向性スピーカで構成され、以下、音響放射部３を超指向性スピーカとして説明する。超指向性スピーカ３は、図２に示すように、誘導灯装置における誘導灯表示部１の両側や側面に複数個（図示例では合計３個）設けられ、それぞれが特定の方向にのみ音響放射を行うスピーカである。
【００１０】
誘導灯ユニット４は、電源部や誘導灯表示部１や点滅装置２の点灯、点滅動作を行うための機能部であり、その基本的な構成は公知であるため、ここでの説明は省略する。即ち、外部からの非常信号が入力された場合は、点滅装置２の点滅動作を行うよう構成されている。また、この誘導灯ユニット４は、非常信号が入力された場合、誘導音や誘導音声を超指向性スピーカ３から出力するよう、音声信号を超指向性スピーカ用音声処理部５に出力するよう構成されている。尚、非常信号は、例えば火災や地震の発生時、あるいは停電時といった避難誘導が必要とされる場合に、図示しない火災報知装置や電源制御装置といった装置から出力される信号である。
【００１１】
超指向性スピーカ用音声処理部５は、超指向性スピーカ３を駆動するための変調器や増幅器からなるもので、これら超指向性スピーカ用音声処理部５と超指向性スピーカ３とによって、パラメトリックスピーカとして動作するものである。尚、パラメトリックスピーカの動作原理については公知であるため、ここでの説明は省略する。
【００１２】
次に、実施の形態１の動作について説明する。
先ず、通常状態では非常信号は入力されないため、誘導灯ユニット４は誘導灯表示部１の点灯を行うのみである。この動作は従来と同様であるため、ここでの詳細な説明は省略する。
【００１３】
次に、火災や停電等、何らかの不測の事態が発生した場合、誘導灯ユニット４には非常信号が入力される。これにより、誘導灯ユニット４は、非常口２００への誘導を行うため、点滅装置２の点滅動作を行うと共に、誘導音声を超指向性スピーカ用音声処理部５に出力する。これにより超指向性スピーカ用音声処理部５は、パラメトリックスピーカとして所定の変調等の処理を行い、誘導音声信号を超指向性スピーカ３に出力する。これにより超指向性スピーカ３は誘導音声を特定の範囲にのみ放射する。
【００１４】
図３は、超指向性スピーカ３による音響放射方向の説明図である。
図示例は、図２に示すように超指向性スピーカ３を三つ用いた場合の音響放射方向を示しており、図中、Ａ、Ｂ、Ｃは、それぞれの超指向性スピーカ３の音響放射範囲を示している。図示のように、個々の超指向性スピーカ３の音響放射方向は、特定の方向のみであるが、設置位置が異なる三つの超指向性スピーカ３の放射範囲によって、部屋内に無音領域が発生しないようになっている。また、従来の一般指向特性のスピーカであれば、様々な方向に音響放射されるため、音源からの直接音と壁面からの反射音とが混ざり合って誘導音声が不明瞭となっていたものが、本実施の形態では特定の方向にのみ放射されることから、反射音による影響を最小限に抑えることができる。
【００１５】
尚、上記実施の形態１では、超指向性スピーカ３の個数を３個としたが、これに限定されるものではなく、例えば、これ以上の個数を設置してもよく、あるいは、音響放射範囲が一つの超指向性スピーカでカバーできる空間であれば、設置は一つだけであってもよい。
【００１６】
また、上記実施の形態１では、音響放射部３としてパラメトリックスピーカを用いたが、これに限定されるものではなく、特定の方向にのみ音響放射を行うスピーカであればどのようなものであっても同様に適用可能である。
【００１７】
以上のように、実施の形態１によれば、非常口または避難経路の存在を示すための誘導灯表示部と、誘導音声を出力するための音響放射部とを備えた誘導灯装置において、音響放射部を、特定の方向にのみ音響放射を行う超指向性スピーカで構成したので、誘導音声の反射や共鳴を最小限に抑えることができる。特に施設内に多くの部屋がある場合でも、隣室や上下階からの音声の干渉や共鳴がなく、従って、大規模なビル等の施設でも、非常口や避難経路への誘導をスムーズに行うことができる。このため、会社、学校、ホール、体育館、競技場、ホテル、スーパーマーケット、病院といった多くの人が利用する施設でも、非常時の誘導を確実に行うことができる。
【００１８】
また、超指向性スピーカ３によって明瞭な誘導音声を避難者に届けることができるため、特に、視覚障害者といった聴覚による誘導が重要な避難者に対しても確実な誘導を行うことが可能である。
【００１９】
また、実施の形態１によれば、それぞれ、音響放射方向が異なる複数の超指向性スピーカ３を備えたので、個々の超指向性スピーカ３の音響放射方向は特定の範囲として、明瞭な誘導音声が得られると共に、複数の超指向性スピーカ３全体として広い音響放射方向をカバーすることができる。
【図面の簡単な説明】
【００２０】
【図１】この発明の実施の形態１による誘導灯装置を示すブロック構成図である。
【図２】この発明の実施の形態１による誘導灯装置の設置状態を示す説明図である。
【図３】この発明の実施の形態１による誘導灯装置の音響放射方向の説明図である。
【符号の説明】
【００２１】
１  誘導灯表示部、２  点滅装置、３  音響放射部（超指向性スピーカ）、４  誘導灯ユニット、５  超指向性スピーカ用音声処理部、１００  誘導灯装置、２００  非常口。
【図１】
2005202775.tif 000003
【図２】
2005202775.tif 000004
【図３】
2005202775.tif 000005